(57)【要約】      （修正有）【課題】地震などによりドア枠、またドアが変形して開かなかった場合に、確実に屋外に脱出できる非常脱出口ドアを設ける。【解決手段】本体ドア１１に開口部を設け、非常脱出口ドア１２を設ける。ドア口に下面に折曲がったＬ型部材を設け、Ｌ型部材にピン１２ａと１２ｂまたは突起凸を設け、本体ドアの開口部下面にピン１２ａ，ピン１２ｂまたは突起凸が入る。径１１ｂと１１ｃを開ける非常脱出口ドアが屋内より押すことにより取り外しができる。また、錠前１４と１４ａをドア１２の背面より取り付けをして、本体ドア１１とドア１２をピン１２ａとピン１２ｂ、または突起凸また錠前１４と１４ａで固定させる。尚非常脱出口ドアに下面の背面部、Ｌ型部材は本体ドア１１の開口部下面部分に引掛ける様にする。ドア１２の取り外しも簡単にでき尚強度が増す事になる。またピン１２ａ、ピン１２ｂまたは突起凸とＬ型部材の縁を利用してどちらでも個別に併用できる。【選択図】図１
2008063924.tif 000002
【特許請求の範囲】
【請求項１】
従来のスチールドア本体に人が出入りできる程の開口部を設け、開口部に取り外しのできる非常脱出ドアを設ける。開口部の非常脱出口ドアはＬ型部材とピンまたは突起凸と錠前で固定して二重ドアとなる。また錠前を解除し背面（室内側）より押すことにより取り外しができ、屋外に脱出できる。
【請求項２】
請求項１に記載のドアにおいて
前記、開口部は従来だと蝶番を設けたり、ロックを設けて開放するが、蝶番を使用しないで長径に差込むだけで取り外しができる非常脱出ドアであり、人が出入りできる程の開口部を設け本体ドア開口部の下部２ヶ所に長径を開け、非常脱出口ドアの下部にピンまたは突起凸を２ヶ所設け、ピンを本体ドアの下面の長径に差込む。又、非常脱出口ドアの上部左右に錠前を設けて非常脱出口ドアを本体ドアに固定させ、本体ドアと一体となる事を特徴とする。
尚、非常脱出口ドアは簡単に取り外しができるので既存のドアでも簡単に非常脱出口ドアが設けられる事を特徴とする。
【請求項３】
請求項１，２に記載のドアにおいて
非常脱出口ドアを背面（室内側）より押し開く場合に非常脱出口ドアが９０°に開きますので非常脱出口ドア下面に設けてあるピンも非常脱出口ドアと同様に９０°に開きますので、本体ドアの開口部の長径ピンの長さより大きめの長径を開けることにより、非常脱出口ドアの設けてあるピンが本体ドア下面に引掛らないでスムーズに非常脱出口ドアが屋外に押し出せる、尚、本体ドア及び非常脱出口ドアがスチールですので本体ドア開閉時の振動により、音が生じますので本体ドア開口部下面に薄いゴムパッキンを設け又、本体ドア開口部背面部に非常脱出口ドア用の戸当りを設ける。戸当り部分にもゴムパッキンを設け、又、本体ドア開口部と非常脱出口ドアの周辺枠側との間に非常脱出口ドアに対するドア本体の歪みを軽減する充分のクリアランスを設けてあることを特徴とする。
【請求項４】
請求項１，２，３の記載ドアにおいて、開口非常脱出口ドアの下面背面部に９０°で折曲がったＬ型部材を設け、本体ドアの開口下面部に引っ掛かる様にする。
また非常脱出口ドアの強度も増し簡単に取り外しもでき、ピンまたは突起凸Ｌ型部材の縁を利用して、どちらでも個別に併用して使用できることを特徴としている。
【発明の詳細な説明】
【技術の分野】
【０００１】本発明は地震などによりドアが開かなくなった場合に、従来のスチールドアに人が出入りできる程の非常脱出口ドアを設け開放させる。耐震開放ドアに関する。
【背景の技術】
【０００２】大地震などによりドア枠またはドアが歪んだ場合、ドアが開かなくなってしまう場合が考えられるそこで従来よりドア枠を歪みにくくしたり、歪んだ場合においても比較的小さな力でドアを開放させる事ができる耐震ドアが提案されている。
【０００３】例えばドア枠とドアの隙間を広く設けたり、従来のドアに人が出入りできる開口ドアを設け蝶番によって開放できる二重ドアにしているが開口ドアが大きい為に既存のドアに設けることができない。又、従来のドアだと鍵が解除できない問題がある。さらに。地震によって地下ビルのドアが水圧によりドアが開かなくなるという問題も起こる。
【課題を解決する為の手段】
【０００４】本発明は従来のスチールドア本体に人が出入りできる程の開口部を設け、開口部の中に入る非常脱出口ドア下面にＬ型部材に突出したピン（丸棒）または突起凸２箇所を設置してドア本体の開口部下面に非常脱出口ドアのピンが抜き差しできる長径を開ける。それによって開口部のドアが簡単に取り外しできる。また非常脱出口ドアの下面背面部にＬ型部材を設けることにより非常脱出口ドアが強度を増し、Ｌ型部材だけでも充分対応出来ますが、ピンまたは突起凸を設ける事により尚一層効果があがります。またピンまたは突起凸、Ｌ型部材どちらでも個別にしようできる。係合して非常脱出口ドア上面左右に錠前を非常脱出口ドアの背面に設けることにより開口ドアが固定され従来ドアと一体隣、変わりなく使用できる。
本体ドアが歪んだり、鍵の解除不能でも非常脱出口ドアは開く。又価格も従来のドアとさほど変わりなく製作できる。
【発明の効果】
【０００５】このように本発明で従来のスチールドアに非常脱出口ドアを設けることにより、大地震などでドアが開かなくなった場合においても、非常脱出口ドアが取り外し開放できるので確実に脱出できる。
【０００６】以下本発明の実態形態について図面に基づいて説明をする。
【０００７】図１は本実態形態に係る耐震開放ドアの取り付け状態を示す三角法図
図２は側面断面図
図３は上面断面図
図４は非常脱出口ドア図である。
図５はピン、長径、戸当り、パッキンの詳細図である
【０００８】本体ドア１１の取手（ノブ）１５より下部に開口部１１ａに人が出入り出きる程の大きさの非常脱出口ドア１２を設けている。非常脱出口ドア１２の下面にＬ型部材１３に突出したピン（丸棒）または突起凸１２ａと１２ｂが差込む長径１１ｂと１１ｃを開ける。非常脱出口ドア１２の上部背面左右に錠前１４と１４ａを設けてドア１２を本体ドア１１に固定させる。錠前１４と１４ａは取手（ノブ）の変わりにもなる非常脱出口ドア１２を外す場合は、錠前１４と１４ａを解除して背面（室内側）より非常脱出口ドア１２を押す事により、非常脱出口ドア１２が開放できる。化粧板１６は本体ドア１１と非常脱出口ドア１２の隙間を見せない為、又非常脱出口ドア１２が設けられていることを感じさせない為とデザイン的と美化の為設ける。又、本体ドア１１と非常脱出口ドア１２がスチールですので本体ドア１１の開閉的に振動が生じますので音防止の為に、戸当り１８とゴムパッキン１９を設ける。またＬ型部材１３にピン１２ａと１２ｂまたは突起凸がもうけてありますがどちらでも個別に併用することができる。
【図面の簡単な説明】
【０００９】
【図１】  実態形態の三角法図である。
【図２】  実態形態の側面から見た断面図である。
【図３】  実態形態の上面から見た断面図である。
【図４】  実態形態の非常脱出口ドア図である。
【図５】  実施形態の非常脱出口ドア設置図である。
【符号の説明】
【００１０】１０．ドア枠  １１．本体ドア  １１ａ．開口部  １２．非常脱出口ドア  １２，１２ｂ．ピン（丸棒）または突起凸、  １３．Ｌ型部材  １５．ドアノブ  １６．化粧版  １７，１７ａ，１７ｂ．蝶番  １８．戸当り  １９．ゴムパッキン  ２０．パッキン
【図１】
2008063924.tif 000003
【図２】
2008063924.tif 000004
【図３】
2008063924.tif 000005
【図４】
2008063924.tif 000006
【図５】
2008063924.tif 000007